(57)【特許請求の範囲】
【請求項１】
複数の物理回線からなるリンクアグリゲーション構成の論理回線で隣接装置と接続されるネットワーク装置であって、
各物理回線に接続され、該隣接装置に対しパケットの送受信を行う回線インタフェースと、
該物理回線ごとのトラフィックを測定する通信量測定部と、
論理回線ごとに、該通信量測定部の測定結果の合計が所定の条件を満たすかを判定する判定処理部と、
該回線インタフェースに対する電源供給を個別に制御する電源制御部とを有し、
該判定処理部による該論理回線の判定結果が第１の条件を満たした場合、
該電源制御部は、該論理回線を構成する該物理回線と接続された該回線インタフェースであって給電を停止されたものの内から、少なくとも１個を選択して給電を開始し、
該給電を開始された回線インタフェースは、接続された物理回線を介したパケットの送信及び受信を開始し、
給電状態にある該回線インタフェースが２個以上あり、かつ、該判定処理部による該論理回線の判定結果が第２の条件を満たした場合、
該電源制御部は、該論理回線を構成する該物理回線と接続された該回線インタフェースであって給電中のものの内から、少なくとも１個を選択して給電を停止し、
該給電を停止された回線インタフェースは、接続された物理回線を介したパケットの送信および受信を停止し、
該判定処理部に、予め所定の期間における個別の該回線インタフェースへの電力供給の有無が設定されていた場合、該所定の期間内は、該第１の条件、および、該第２の条件によらず、該期間内の設定に従い個別の該回線インタフェースへの電力供給を制御することを特徴とするネットワーク装置。
【請求項２】
請求項１記載のネットワーク装置であって、
該電源制御部は、該論理回線を構成する給電状態にある該回線インタフェースの内から、少なくとも１個を選択して給電を停止する場合、該論理回線を構成する該回線インタフェースの内、常に少なくとも１個は給電状態であることを特徴とするネットワーク装置。
【請求項３】
請求項２記載のネットワーク装置であって、
前記第１の条件は、該論理回線のトラフィックが予め設定した上限値を超えた場合であり、
前記第２の条件は、該論理回線のトラフィックが予め設定した下限値より下回った場合であることを特徴とするネットワーク装置。
【請求項４】
請求項１記載のネットワーク装置であって、
現在時刻が該所定の期間でない場合、該判定処理部は、該通信量測定部の測定結果を論理回線ごとに所定の条件を満たすかを判定し、該第１の条件、または、該第２の条件に基づいて該回線インタフェースへの電力供給を制御することを特徴とするネットワーク装置。
【請求項５】
請求項１記載のネットワーク装置であって、
シェーパ機能部を有し、
トラフィックが、給電状態の該回線インタフェースと接続されており、該論理回線を構成する該物理回線の合計帯域を上回った場合、該シェーパ機能部は、優先度に基づいてパケットを廃棄することを特徴とするネットワーク装置。
【発明の詳細な説明】
【技術分野】
【０００１】
ネットワーク回線に接続し、データ（パケット等）を中継するネットワーク接続装置に関し、特に消費電力の低減に関する。
【背景技術】
【０００２】
近年のインターネットは、水道，ガス，電気等と同様ライフラインとして社会活動に不可欠な存在となりつつある。これに伴い、ネットワークには高信頼性，高可用性を低コストで実現することが求められている。一方、増大するトラフィック量に応えるため回線分量，回線速度の増加／増速が必要であるが、これらは装置の消費電力の増加を招く。
【０００３】
消費電力の低減方法として、例えばファクシミリのフックオフが無い状態を利用して省エネルギーモードに移行する特許文献１がある。
【０００４】
【特許文献１】特開２０００−２３２５４０号公報
【発明の開示】
【発明が解決しようとする課題】
【０００５】
しかしながら、特許文献１のようなファクシミリでは、通信を蓄えておくことが許されるが、ルータ等のネットワーク中継装置では通信（トラフィック）を滞りなく流し続けなければならない点で大きく前提が異なる。もし通信が滞れば、もはやライフラインとして不可欠な存在となっているだけに影響が大きい。
【０００６】
このような背景から従来のネットワーク接続装置では、接続するネットワークに対応した装置の構成を一旦決定すると、ネットワーク接続装置のパケット転送量等の使用状況に関係なく消費電力は一定となり、それを変更することができず電力を消耗していた。
【０００７】
しかしながら、ライフラインとして不可欠な存在になったとことにともないネットワーク装置の数も性能も増大の一途をたどっており、そのエネルギー消費は大きなものとなっている。特にデータセンターが集中する都市部での電力消費量及びそれにともなう熱発生量は無視できないものになるであろう。
【０００８】
そこで本発明では、回線を使用状況（回線使用量や時刻）などに応じて供給電力を可変とすることにより、通信への影響を抑えつつ消費電力低減を図ることのできるネットワーク接続装置を提供することを一つの目的とする。
【０００９】
特に、ネットワーク接続装置における帯域の拡大に関連して、よく利用される技術としてLink Aggregation（以下LA）があり、IEEE 802.3adで標準化されている。LAは、隣接装置との間を複数のイーサネット（登録商標）回線で接続し、それらを束ねて一つの論理回線を設定し仮想リンクとして扱う機能である。一般的な使用例としてネットワーク構築時に、必要な帯域を確保するために高価な高速回線を用いず、比較的安価な低速回線複数でLAを用いて仮想リンクを構成することにより帯域を拡大し対応することができる。また、複数回線で仮想リンクを構成することにより、隣接装置間との冗長性を実現できる。本発明をLAに適用することで、回線を使用状況（回線使用量や時刻）などに応じて供給電力を可変とすることにより、必要な帯域を安価で確保しつつ消費電力低減を図ることのできる点で有効である。
【課題を解決するための手段】
【００１０】
上記課題を解決するため例えば、複数のネットワーク回線と接続するネットワーク接続装置であって、ネットワーク回線と接続してパケットを送受信する複数の回線接続部と、複数の回線接続部のうち第１の回線接続部で受信したパケットのヘッダ情報に基づいて送信先を決定する送信先決定部と、送信先決定部で決定した送信先に対応する第２の回線接続先へパケットを転送するパケット転送部と、回線接続部へ電力供給する電力供給部と、電力供給部から回線接続部への電力供給を当該回線接続部毎に制御する電力制御部とを有する、という手段を提供する。
【００１１】
また例えば、複数のネットワーク回線と接続するネットワーク接続装置であって、ネットワーク回線と接続してパケットを送受信する複数の回線接続部と、複数の回線接続部のうち第１の回線接続部で受信したパケットのヘッダ情報に基づいて送信先を決定する送信先決定部と、送信先決定部で決定した送信先に対応する第２の回線接続先へパケットを転送するパケット転送部と、回線接続部へ電力供給する電力供給部と、電力供給部から回線接続部への電力供給を当該回線接続部毎に制御する電力制御部と、回線接続部に接続するネットワーク回線の回線使用量を当該回線接続部毎又はネットワーク回線毎に監視する回線使用量監視部と、電力供給部からの電力供給の条件である電力制御条件を記憶する電力制御条件記憶部とを有し、電力制御部は、第１の回線接続部について回線使用量監視部で監視する回線使用量と電力制御条件とを比較し、当該回線使用量が当該電力制御条件より大きいとき、複数の回線接続部又はネットワーク回線のうち電力制御条件に登録されている第３の回線接続部の電力供給を開始するよう制御する、という手段を提供する。
【発明の効果】
【００１２】
回線インタフェイスごとに回線使用量に応じた電力制御をできることで、ネットワーク接続装置全体の消費電力を効果的に低減できる。特にLAに適用することで、LAの利点である低コストや高信頼性等を失うことなく消費電力の低減を図ることができる。
【発明を実施するための最良の形態】
【００１３】
以下、図１から１９を用いて本発明に好適な実施例を説明する。ただし、本発明は本実施例に限定されるものではない。
【実施例１】
【００１４】
（１−１） ブロック図
図１に、本発明の１実施例の全体構成を示す。１０１はネットワーク接続装置、１０２は電源装置、１０３はクロスバスイッチ、１０４は制御装置、１０５−１０７はラインカード、１０８は電力制御データ入出力装置、１０９は電力制御データ記憶装置、１１０はＲＴＣ（Real Time Clock）、１１１−１１６はネットワーク回線、１１７−１１９は電力線、１２０−１２２は内部回線、１２３−１２５は電力制御線、１２６−１２８は回線情報信号線である。電源装置１０２は１１７−１１９を通して１０５−１０７それぞれに電力を供給する。ラインカード１０５は１１１−１１２を用いて接続されるネットワークと情報の送受信を行う。ラインカード１０６−１０７も１０５と同様である。クロスバスイッチ１０３は内部回線１２０−１２２を用いて各ラインカード間の情報を中継する。制御装置１０４は電力制御線１２３−１２５それぞれを用いて、ラインカード１０５−１０７それぞれに電力制御信号を送信する。また制御装置１０４は回線情報信号線１２６−１２８それぞれを用いてラインカード１０５−１０７それぞれと情報を送受信する。電力制御データ入出力装置１０８は、任意の回線インタフェイスに対する電力制御条件を任意に設定する画面を提供し、入力された電力制御条件を電力制御データ記憶装置１０９に格納する。ＲＴＣ１１０は時刻情報を制御装置１０４へ供給する。
【００１５】
図２に、ネットワーク接続装置１０１内のラインカード１０５の内部構成を示す。２０１−２０２は回線インタフェイス、２０３−２０４は電力制御装置、２０５−２０６は回線監視装置である。回線インタフェイス２０１は、ネットワーク回線１１１からの受信した内容を内部回線１２０へ送信する。また回線インタフェイス２０１は、電源装置１０２から中継された内容をネットワーク回線１１１へ送信する。回線インタフェイス２０２は、ネットワーク回線１１２からの受信した内容を内部回線１２０へ送信する。また回線インタフェイス２０２は、電源装置１０２から中継された内容をネットワーク回線１１２へ送信する。回線監視装置２０５は回線情報信号線１２６を用いて回線インタフェイス２０１の回線使用量を制御装置１０４へと伝える。回線監視装置２０６は回線情報信号線１２６を用いて回線インタフェイス２０２の回線使用量を制御装置１０４へと伝える。
【００１６】
電力制御装置２０３は、電源装置１０２から電力線１１７を用いて伝達された電力を、制御装置１０４から電力制御線１２３を用いて伝達される電力制御信号をもとに回線インタフェイス２０１への供給電力を切り換える。電力制御装置２０４は、電源装置１０２から電力線１１７を用いて伝達された電力を、制御装置１０４から電力制御線１２３を用いて伝達される電力制御信号をもとに回線インタフェイス２０２への供給電力を切り換える。これら回線インタフェイス２０１−２０２への電力供給を独立に切り換えることで、ネットワーク回線１１１−１１２の接続／切断をそれぞれ独立に切り換える。ただし、電力制御の方法として該回線インタフェイスや該ラインカードの電源断及び開始を挙げているが、該装置に対する供給クロックを低下することによる消費電力の低減でもよい。なお供給電力の減少という場合には電力断と低減とを含むものとして考える。また供給電力の増大とという場合には電力供給の開始と低減した電力の回復とを含むものとして考える。
【００１７】
図１５は、電力制御データ記憶装置１０９（又は制御装置１０４や電力制御装置２０４やサーバ等の上位装置であってもよい）に記憶された電力制御条件テーブル１５０２の一例を示す。電力制御条件テーブル１５０２は、ラインカード７０２と回線インタフェイス７０３に対して、後に説明する上限閾値３０２と下限閾値３０３と開始時刻８０１と終了時刻８０２とを記憶している。また、上限閾値３０２に対しては該当インタフェイスの回線使用量が大きくなったときに電力供給を開始する回線インタフェイス番号１５０１が登録されている。この回線インタフェイス番号１５０１は、該当インタフェイスとLAが設定されているインタフェイスであることが好ましい。ここでは、図２の物理回線であるネットワーク回線１１１と１１２にLAが設定され一つの論理回線としてみなされている場合を想定する。図１５に例示しているように、回線インタフェイス２０１の回線使用量が上限閾値を超えた場合、回線インタフェイス２０２への電力供給を開始する。こうすることで、回線インタフェイス２０２を省エネモードとしつつ、トラフィックの増大時には省エネモードから復旧させてLAを使って回線インタフェイス２０１の負荷を低減して通信の滞りを防ぐことができるという大変優れた効果がある。
【００１８】
（１−２） 制御方法及びインタフェイス
図３に、時間経過を横軸に、回線使用量を縦軸にとり、時間経過とともに変化する回線使用量の一例を示す。３０１は回線使用量、３０２は上限閾値、３０３は下限閾値、３０４，３０６は回線使用量３０１が上限閾値３０２を上回った点、３０５は回線使用量３０１が下限閾値３０３を下回った点である。この回線監視による制御方法は、回線使用量に追従して該回線インタフェイスへの供給電力を制御する。これにより回線使用量の予測が困難なネットワークにおいて消費電力の低減を効果的に行える。
【００１９】
以下、図４から図７を用いて回線監視による電力制御方法の詳細を説明する。
【００２０】
図４に本発明を適用したネットワーク接続装置を用いたLA構成の一例を示す。４０１はラインカード１０５とネットワーク回線１１１−１１２それぞれで接続されている対向ネットワーク接続装置である。図４において回線使用量が任意の下限閾値３０３を下回ると、制御装置１０４からの信号により電力制御装置２０４が回線インタフェイス２０２への電源供給を停止し、ネットワーク回線１１２を切断する。
【００２１】
図５に、図４の状態から１１２を切断したものを示す。図５において回線使用量３０１が上限閾値３０２を上回ると、制御装置１０４からの信号により電力制御装置２０４が回線インタフェイス２０２への電源供給を再開し、１１２を復帰し図４の状態に移行する。
【００２２】
図６に、回線使用量３０１の変化に対して、上限閾値３０２−下限閾値３０３を用いた電力制御の手順を示す。電力制御データ入出力装置１０８より電力制御データ記憶装置１０９へ各ラインカード又は各回線インタフェイスに対する電力制御条件テーブル１５０２（上限閾値３０２と下限閾値３０３と回線インタフェイス番号１５０１）をそれぞれ設定する（ステップ６０１、図１５参照）。次に回線監視装置２０５と２０６を用いて回線使用量３０１を取得する（ステップ６０２）。回線監視装置２０６で取得したデータについて説明すると、回線監視装置２０６で取得した回線使用量３０１とステップ６０１でネットワーク回線１１２又は回線インタフェイス２０２について設定された下限閾値３０３とを比較する（ステップ６０３）。回線使用量３０１が下限閾値３０３を下回っていれば（３０５より下であれば）、制御装置１０４が電力制御装置２０４へ電源断信号を送信し回線インタフェイス２０２への電源供給を切断（ステップ６０４）しステップ６０２へと戻る。ステップ６０４で電源供給が切断されると、図５のように回線インタフェイス２０２での通信を行っていない状態となる。
【００２３】
図５の状態において、回線監視装置２０５で回線使用量３０１を取得する（ステップ６０２）。取得した回線使用量３０１とステップ６０１でネットワーク回線１１１又は回線インタフェイス２０１について設定された下限閾値３０３とを比較する（ステップ６０３）。回線使用量３０１が下限閾値３０３を下回っていなければ（ステップ６０３でＮｏ）、回線使用量３０１と上限閾値３０２を比較する（ステップ６０５）。回線使用量３０１が下限閾値３０３を上回っていれば（３０４や３０６より上であれば）、制御装置１０４が電力制御装置２０４へ電源供給信号を送信し、６０１で設定された電力制御条件テーブル１５０２の条件に従い回線インタフェイス番号１５０１（ここでは回線インタフェイス２０２）への電源供給を開始（ステップ６０６）し、ステップ６０２へと戻る。すなわち図４の状態になる。上回っていなければステップ６０２へと戻る。
【００２４】
ここでは回線使用量３０１を、電力制御の条件に用いる回線使用量は回線監視装置２０５−２０６それぞれ単独から得られる回線使用量としているが、回線監視装置２０５−２０６それぞれより得られた回線使用量の合計であるラインカード１０５の回線使用量としても構わない。または、ネットワーク接続装置１０１全体で、同一LAで設定されている全ての各回線インタフェイス、または各ラインカードそれぞれより得られた回線使用量の合計した回線使用量でも構わない。さらに、ネットワーク接続装置１０１全体で、同一LAで設定されている全ての各回線インタフェイスそれぞれより得られた回線使用量のうち、最大の回線使用量を電力制御の条件に用いても構わない。
【００２５】
図７に、各インタフェイスへの上限閾値−下限閾値設定画面イメージの一例を示す。７０１は電力制御データ入出力画面、７０２は対象ラインカード、７０３は対象回線インタフェイスである。電力制御データ入出力画面７０１は電力制御データ入出力装置１０８に表示される。７０２の欄に電源制御条件を設定する対象ラインカードを設定する。７０３の欄に電源制御条件を設定する対象回線インタフェイスを設定する。７０１の欄で設定された内容が電力制御データ記憶装置１０９に格納される。
【００２６】
ここで設定する閾値は、実際には該回線の全帯域に対する割合（％）であったり、情報の流量（ｂｐｓ）であったりする。また、回線使用量が閾値を上回ったとき電力供給を開始する回線インタフェイスの番号も入力する欄もある（回線インタフェイス番号１５０１）。この設定画面で入力されたデータは図１５の電力制御条件テーブル１５０２に記録される。
【００２７】
なお、ここで上限と下限を設けて閾値を設定しているのは、閾値に上限と下限を設けなかった場合に閾値近辺で回線使用量が上下した場合にシステム動作が不安定になるのを避けるためである。つまり上限と下限とが同じ値であってもよいが、別であることが望ましい。
【００２８】
この回線使用量の監視による電力制御の更なる利用例として、回線使用量を予測する装置を組み込むことによる運用方法がある。これは回線使用量を予測できることで、閾値に上限下限を設けずとも安定した動作を期待できるものである。このように、回線使用量に追従して該回線インタフェイスへの供給電力を制御することで、回線使用量の予測が困難なネットワークにおいて消費電力の低減を効果的に行える。
【実施例２】
【００２９】
続いて、時間監視による電力の制御方法及び、制御条件設定インタフェイスの実施例について説明する。
【００３０】
図８に、時刻を横軸に回線使用量を縦軸にとり、開始／終了時刻による電力制御の一例を示す。８０１は開始時刻、８０２は終了時刻である。この時間監視による制御方法は、開始／終了時刻を用いて該回線インタフェイスへの供給電力を制御する。これによりあらかじめ回線使用量を予測できるネットワークにおいて消費電力の低減を効果的に行える。
【００３１】
以下、図９から図１０を用いて時間監視による電力制御方法の詳細を説明する。図９に開始時刻−終了時刻８０２を用いた電力制御の手順を示す。まず、電力制御データ入出力装置１０８より電力制御データ記憶装置１０９へ該回線に対する開始時刻−終了時刻８０２を設定する（ステップ９０１）。次にＲＴＣ１１０を用いて現在時間を取得する（ステップ９０２）。取得した時間とステップ９０１で設定された終了時刻８０２とを比較する（ステップ９０３）。終了時刻８０２になっていれば、制御装置１０４が電力制御装置２０４へ電源断信号を送信し回線インタフェイス２０２への電源供給を切断（ステップ９０４）しステップ９０２へと戻る。終了時刻８０２になっていなければ、取得した時間と開始時刻とを比較する（ステップ９０５）。開始時刻になっていれば、制御装置１０４が電力制御装置２０４へ電源供給信号を送信し回線インタフェイス２０２への電力供給を開始（ステップ９０６）しステップ９０２へと戻る。開始時刻になっていなければステップ９０２へと戻る。
【００３２】
図１０に各回線インタフェイスへの開始時刻−終了時刻設定画面イメージの一例を示す。１００１は電力制御データ入出力装置１０８へ出力される画面イメージである。この時間監視による電力制御の更なる利用例として、回線利用者とあらかじめ回線使用量と回線使用時間を契約により決めておく運用方法がある。この方法では契約に従った必要な帯域のみを確保すれば良いため、実際の回線使用量に全く影響されることなく電力制御ができる。これにより更に効率的な時間による計画制御方法を運用できる。
【００３３】
このように、開始／終了時刻を用いて該回線インタフェイスへの供給電力を制御することで、あらかじめ回線使用量を予測できるネットワークにおいて消費電力の低減を効果的に行える。
【実施例３】
【００３４】
次に、上限閾値３０２−下限閾値３０３と開始時刻８０１−終了時刻８０２を組み合わせた制御を図１１に示す。まず、電力制御データ入出力装置１０８より電力制御データ記憶装置１０９へ各ラインカード又は各回線インタフェイスに対する電力制御条件テーブル１５０２（開始時刻８０１−終了時刻８０２と上限閾値３０２−下限閾値３０３と回線インタフェイス番号１５０１）を設定する（ステップ１１０１）。次にＲＴＣ１１０を用いて現在時間を取得する（ステップ１１０２）。取得した時間と開始時刻８０１−終了時刻８０２とを比較する（ステップ１１０３）。範囲時間内であればステップ１１０２へと戻る。範囲時間外であれば回線使用量３０１を取得する（ステップ１１０４）。取得した回線使用量３０１と下限閾値３０３とを比較する（ステップ１１０５）。回線使用量３０１が下回っていれば該回線インタフェイスへの電源供給を切断（ステップ１１０６）し、ステップ１１０２へと戻る。下回っていなければ、回線使用量３０１と上限閾値３０２を比較する（ステップ１１０７）。回線使用量３０１が上回っていれば、ステップ１１０１で設定された電力制御条件テーブル１５０２の回線インタフェイス番号１５０１への電源供給を開始（ステップ１１０８）し、ステップ１１０２へと戻る。上回っていなければステップ１１０２へと戻る。この例は、開始時刻８０１−終了時刻８０２内は回線使用量の変化に対して、上限閾値３０２−下限閾値３０３を用いた電力制御を無視するものである。
【００３５】
図１２にこの制御方法における任意の回線インタフェイスへの開始時刻８０１−終了時刻８０２及び上限閾値３０２−下限閾値３０３の設定画面イメージの一例を示す。
１２０１は電力制御データ入出力装置１０８へ出力される画面イメージである。
【００３６】
なお、この例は回線監視による電力制御方法と時間取得による電力制御方法とを組み合わせた一例であり、回線監視による電力制御方法と時間取得による電力制御方法との優先度を含め電力制御条件の組み合わせは自由に設定可能である。例えば、図１２は、或る時刻の範囲外であると回線使用量を監視する例だが、回線使用量を監視しておき、回線使用量が閾値を上回っている又は下回っているときに或る時刻の範囲外であるかを判断する例でもよい。
【実施例４】
【００３７】
次に本発明を適用したラインカードの、電力制御装置と回線インタフェイスとの対応のバリエーションを図１３に示す。１３０１はラインカード、１３０２−１３０３は回線インタフェイス、１３０４は電力制御装置、１３０５−１３０６は回線監視装置、１３０７−１３０８はネットワーク回線である。
【００３８】
ネットワーク回線１３０７−１３０８それぞれの回線使用量を回線監視装置１３０５−１３０６それぞれが制御装置１０４に報告する。制御装置１０４からの信号により、電力制御装置１３０４が回線インタフェイス１３０２−１３０３双方の供給電力を同一に制御する。
【００３９】
ラインカード内の回線インタフェイスに対して電力制御装置の数を減らすことによりラインカード全体のコスト低減が可能となる。
【実施例５】
【００４０】
次に本発明を適用したラインカードの、電力制御装置と回線インタフェイスとの対応の他のバリエーションを図１４に示す。１４０１はラインカード、１４０２−１４０４は回線インタフェイス、１４０５−１４０６は電力制御装置、１４０７−１４０９は回線監視装置、１４１０−１４１２はネットワーク回線である。ネットワーク回線１４１０−１４１１それぞれの回線使用量を回線監視装置１４０７−１４０８それぞれが制御装置１０４に報告する。制御装置１０４からの信号により、電力制御装置１４０５が回線インタフェイス１４０２−１４０３双方の供給電力を同一に制御する。ネットワーク回線１４１２の回線使用量を回線監視装置１４０９が制御装置１０４に報告する。制御装置１０４からの信号により、電力制御装置１４０６が回線インタフェイス１４０４の供給電力を制御する。
【００４１】
この構成により、ラインカード内の回線インタフェイス数に対し電力制御装置の数を減少させることでラインカード全体のコストを低減しつつ稼動回線インタフェイスを選択できることにより効率よく消費電力を低減する。
【実施例６】
【００４２】
図１９は、実施例１で示した図６の電力制御条件の手動設定部分（ステップ６０１）に換えて電力制御条件の自動設定が可能なフローを追加した例を示す。
【００４３】
まず、オペレータからネットワーク接続装置１０１内の任意の回線インタフェイスに対してLA構成を設定するかどうかの指示を待つ（ステップ１９０１）。LA構成の設定指示を受けると、オペレータからの入力に従ってLA構成の設定がなされる（ステップ１９０２）。LA構成の設定指示がされなければ何もせず次のステップへと進む。次に、オペレータから該回線インタフェイスに対する回線インタフェイス番号１５０１の設定をするかどうかの指示を待つ（ステップ１９０３）。設定の指示を受けると、オペレータからの入力に従って該回線インタフェイスに対する回線インタフェイス番号１５０１の設定がなされる（ステップ１９０４）。設定の指示がされなければ何もせず次のステップへと進む。
【００４４】
次に、LA構成の設定がされているかを判断し（ステップ１９０５）、LA設定がされていればLA構成の設定内容を読み込む（ステップ１９０６）。LA構成の設定がされていなければ何もせず次のステップへと進む。次に、回線インタフェイス番号１５０１の設定がされているかを判断し（ステップ１９０７）、設定されていれば設定内容を読み込む（ステップ１９０８）。設定がされていなければあらかじめ設定されているデフォルト値の回線インタフェイス番号１５０１を設定する（ステップ１９０９）。
【００４５】
次に、ここまでで設定されたデータ（ステップ１９０６やステップ１９０８やステップ１９０９で設定されたデータ）をもとに電力制御条件テーブル１５０２の自動設定をおこなう（ステップ１９１０）。続いて、ステップ６０２以降ではステップ１９１０で自動設定された電力制御条件テーブル１５０２をもとに実施例１と同様の処理を行う。
【００４６】
実施例２、実施例３についても、電力制御条件の手動入力部分を図９と同様にステップ１９０１−ステップ１９１０に代替することで電力制御条件の自動設定が可能である。
【実施例７】
【００４７】
図１６および図１７は、図２の構成にシェイパ装置１６０１を加え、優先度を持ったパケット等が回線を流れる場合に、ネットワーク接続装置１０１が、回線使用量の変化により電力制御を行う実施例を示す。ここで、回線インタフェイス２０１と回線インタフェイス２０２とはLA構成を組んでいるものとする。また、シェイパ装置１６０１は、パケットの優先度あるいはデータの種別などから、帯域制御を行う装置である。
【００４８】
図１７において、曲線１７０１は回線使用量３０１のうち優先度の高いパケットが占める回線使用量、線１７０２は回線インタフェイス２０１と回線インタフェイス２０２とで組まれたLA構成の持つ帯域、点１７０３は回線使用量３０１が上限閾値３０２を上回った点、区間１７０４は回線使用量３０１が上限閾値３０２を超えてから、回線インタフェイス２０２の復帰が完了するまでのタイムラグ、領域１７０５はタイムラグ１７０４の間に起きる回線使用量３０１内のパケットのロス部分である。
【００４９】
図１７で示すような回線使用量３０１の推移が起きる場合に、回線使用量３０１が上限閾値３０２を上回ると、制御装置１０４は、回線インタフェイス２０２の電力供給を再開する（１７０３）。この時に、回線使用量３０１が急激に増加しつづけると、電力供給を再開した回線インタフェイス２０２の復帰が完了する前に（つまり、回線インタフェイス２０２が通常の通信ができる状態になる前に）、回線使用量３０１が帯域１７０２を超えてしまうことがある（１７０５）。しかし、回線インタフェイス２０１にシェイパ装置１６０１を付加してあることで、シェイパ装置１６０１が回線使用量３０１のうち優先度の低いパケットを選択して破棄することができる。これにより、回線使用量３０１が上限閾値３０２を超えてから、電力供給を再開した回線インタフェイス２０２の復旧が完了するまでのタイムラグ１７０４に起こりうる、パケットのロス１７０５のうち優先度が高いパケットが占める回線使用量１７０１からのロスを軽減することができる。
【００５０】
図１８に電力制御データ記憶装置１０９（又は制御装置１０４や電力制御装置２０４やサーバ等の上位装置であってもよい）に記憶された電力制御条件テーブル１８０１の一例を示す。１８０１は電力制御条件テーブル１５０２の一例、１８０２はシェイパ装置１６０１への設定である。電力制御条件テーブル１８０１は電力制御条件テーブル１５０２にシェイパ装置１６０１に対する設定であるシェイパ設定１８０２を付与したものである。
【図面の簡単な説明】
【００５１】
【図１】ネットワーク接続装置１０１の構成例を示すブロック図。
【図２】ネットワーク接続装置１０１のラインカード１０５の構成例１を示すブロック図。
【図３】回線使用量の経時変化例及び回線使用量に基づく閾値の設定例を示す線グラフ。
【図４】図２のラインカード１０５における複数回線（LA）運用状態例を示すブロック図。
【図５】図２のラインカード１０５における単回線運用状態例を示すブロック図。
【図６】回線使用量による電力制御の処理例を示すフロー図。
【図７】回線使用量による電力制御の条件設定のインタフェイス例を示す図。
【図８】回線使用量の経時変化例及び時間に基づく閾値の設定例を示す線グラフ。
【図９】時間監視による電力制御の処理例を示すフロー図。
【図１０】時間監視による電力制御の条件設定インタフェイス例を示す図。
【図１１】回線監視と時間監視とによる電力制御の処理例を示すフロー図。
【図１２】回線監視と時間監視とによる電力制御の条件設定のインタフェイス例を示す図。
【図１３】ネットワーク接続装置１０１のラインカード１０５の構成例２を示すブロック図。
【図１４】ネットワーク接続装置１０１のラインカード１０５の構成例３を示すブロック図。
【図１５】電力制御条件テーブル１５０２の例を示す図。
【図１６】シェイパ１６０１を搭載したラインカード１０５のブロック図。
【図１７】優先度を持った回線使用量の経時変化例及び回線使用量に基づく閾値の設定例を示す線グラフ。
【図１８】電力制御条件テーブル１５０２のインタフェイスにシェイパ設定１８０２を組み込んだ例を示す図。
【図１９】電力制御条件テーブル１５０２の自動設定方法を組み込んだ回線使用量による電力制御の処理例を示すフロー図。
【符号の説明】
【００５２】
１０１：ネットワーク接続装置、１０２：電源装置、１０３：クロスバスイッチ、１０４：制御装置、１０５−１０７：ラインカード、１０８：電力制御データ入出力装置、１０９：電力制御データ記憶装置、１１０：ＲＴＣ、１１１−１１６：ネットワーク回線、１１７−１１９：電力線、１２０−１２２：内部回線、１２３−１２５：電力制御線、１２６−１２８：回線情報信号線、２０１−２０２：回線インタフェイス、２０３−２０４：電力制御装置、２０５−２０６：回線監視装置、３０１：回線使用量、３０２：上限閾値、３０３：下限閾値、４０１：対向ネットワーク接続装置、７０１：電力制御データ入出力画面、７０２：対象ラインカード、７０３：対象回線インタフェイス、８０１：開始時刻、８０２：終了時刻、１００１：電力制御データ入出力画面、１２０１：電力制御データ入出力画面、１３０１：ラインカード、１３０２−１３０３：回線インタフェイス、１３０４：電力制御装置、１３０５−１３０６：回線監視装置、１３０７−１３０８：ネットワーク回線、１４０１：ラインカード、１４０２−１４０４：回線インタフェイス、１４０５−１４０６：電力制御装置、１４０７−１４０９：回線監視装置、１４１０−１４１２：ネットワーク回線、１５０１：回線インタフェイス番号、１５０２：電力制御条件テーブル、１６０１：シェイパ装置、１７０１：回線使用量３０１のうち優先度の高い回線使用量、１７０２：回線インタフェイス１１１−１１２で構成されたLAの持つ帯域、１７０４：タイムラグ、１８０１：電力制御条件テーブル、１８０２：シェイパ設定
【図１】
0004825580.tif 000002
【図２】
0004825580.tif 000003
【図３】
0004825580.tif 000004
【図４】
0004825580.tif 000005
【図５】
0004825580.tif 000006
【図６】
0004825580.tif 000007
【図７】
0004825580.tif 000008
【図８】
0004825580.tif 000009
【図９】
0004825580.tif 000010
【図１０】
0004825580.tif 000011
【図１１】
0004825580.tif 000012
【図１２】
0004825580.tif 000013
【図１３】
0004825580.tif 000014
【図１４】
0004825580.tif 000015
【図１５】
0004825580.tif 000016
【図１６】
0004825580.tif 000017
【図１７】
0004825580.tif 000018
【図１８】
0004825580.tif 000019
【図１９】
0004825580.tif 000020